(57)【要約】      （修正有）【課題】グレーチングや桝蓋などの様々な溝蓋に対して簡便にして、しかも低コストで完璧な盗難防止を実現する溝蓋の盗難防止装置を提供する。【解決手段】Ｕ字形に形成された錠杆１０の一端部に透孔１１ａを設ける一方、他端部に雌ねじ部１２ａを設けたシャックル本体１ａと、該雌ねじ部に螺合する雄ねじ部１５ａを設けたボルト軸１５がボルト頭部１６から括れ部１７を介して延設される取付けボルト１ｂとを備える金属製シャックル１と、一端側を該シャックルに連結し他端側がアンカーに連結される鎖４と、を具備し、両端が溝蓋に固着された掛止用バーを跨ぐようにして嵌入したシャックル本体１ａの透孔１１ａに、取付けボルト１５のボルト軸１５を挿通し、且つ該ボルト軸の雄ねじ部１５ａを雌ねじ部１２ａへ螺着して、係止用バーとシャックル１とを連結し、さらにボルト頭部１６を締め付けることにより括れ部１７でボルト頭部１６が取付ボルト１ｂからもぎ取られるようにした。【選択図】図１
0003142803.tif 000002
【実用新案登録請求の範囲】
【請求項１】
Ｕ字形に形成された錠杆(10)の一端部に透孔(11a)を設ける一方、他端部に雌ねじ部(12a)を設けたシャックル本体(1a)と、該雌ねじ部に螺合する雄ねじ部(15a)を設けたボルト軸(15)がボルト頭部(16)から括れ部(17)を介して延設される取付けボルト(1b)とを備える金属製シャックル(1)と、
一端側を該シャックルに連結し他端側がアンカー(3)に連結される鎖(4)と、を具備し、
両端が溝蓋(7)に固着された掛止用バー(79)を跨ぐようにして嵌入した前記シャックル本体(1a)の透孔(11a)に、前記取付けボルト(15)のボルト軸(15)を挿通し、且つ該ボルト軸の雄ねじ部(15a)を前記雌ねじ部(12a)へ螺着して、係止用バー(79)とシャックル(1)とを連結し、さらにボルト頭部(16)を締め付けることにより前記括れ部(17)で該ボルト頭部(16)が前記取付ボルト(1b)からもぎ取られるようにしたことを特徴とする溝蓋の盗難防止装置。
【請求項２】
一対の脚部(2a)を対向させて両方の上端を天板部(2b)で連結して側面視略コ字形とし、且つ両脚部(2a)の下端寄りにそれぞれ通孔(21)を設けた取付金具(2)をさらに具備し、
溝蓋(7)に係る一の主部材(72)の掛止用バー(79)を跨ぐようにして嵌入した前記取付金具(2)に係る両通孔(21)の部位へ、前記シャックル本体(1a)の透孔(11a)と雌ねじ部（12a)とを外側から重ね合わせ、前記取付けボルト(1b)のボルト軸(15)を該透孔(11a)と該両通孔(21)とに挿通し、且つ該ボルト軸(15a)の雄ねじ部(15a)を前記雌ねじ部(12a)へ螺着して、該取付金具を介して係止用バー(79)とシャックル(1)とを連結する請求項１記載の溝蓋の盗難防止装置。
【請求項３】
前記アンカー(3)が軸状本体(30)の基端側に環状体(31)を形成して前記鎖(4)と連結され、さらに該環状体を形成した基端が該環状体の起点部と溶接固定される請求項１又は２記載の溝蓋の盗難防止装置。
【考案の詳細な説明】
【技術分野】
【０００１】
本考案は側溝等に配設される溝蓋の盗難防止装置に関する。
【背景技術】
【０００２】
道路の側溝(雨水溝)等には排水性、強度的な観点から一般に金属製グレーチングの溝蓋が多用されている。集水桝などでも金属製桝蓋たる溝蓋が用いられている。さらにピットなどでは縞鋼板等の鋼板で形成した溝蓋がある。いずれの溝蓋も金属製であるため、金属価格の高騰とともに全国各地で盗難被害のニュースが報じられるようになってきている。グレーチングが盗難にあうと、上面開口の側溝やピットに車両が落ち交通事故につながったり、子供の転落事故を招いたりするので、安全性の面からも盗難防止の要請が高まっている。溝蓋の盗難防止装置に関しては、これまでいくつか提案されてきた（例えば特許文献１）。
【０００３】
【特許文献１】実開昭６２−１１０３７８号公報
【考案の開示】
【考案が解決しようとする課題】
【０００４】
しかるに、特許文献１の盗難防止装置は汎用ボルト，ナットの固着金具で締結されており、盗人が市販スパナ等を持ち合わせていれば、簡単に溝蓋を取り外され盗難被害に遭う虞があった。ボルト,ナットに代えてシャックルを用いた盗難防止装置もある。こうしたシャックルにしても、Ｕ字形本体と、汎用ボルト又はピンからなるものであった。やはり鎖等で溝蓋を側溝本体につないでおいても、一般工具を使って溝蓋が簡単に運び去られるものであった。
【０００５】
本考案は上記問題点を解決するもので、グレーチングや桝蓋などの様々な溝蓋に対して簡便にして、しかも低コストで完璧な盗難防止を実現する溝蓋の盗難防止装置を提供することを目的とする。
【課題を解決するための手段】
【０００６】
上記目的を達成すべく、請求項１に記載の考案の要旨は、Ｕ字形に形成された錠杆(10)の一端部に透孔(11a)を設ける一方、他端部に雌ねじ部(12a)を設けたシャックル本体(1a)と、該雌ねじ部に螺合する雄ねじ部(15a)を設けたボルト軸(15)がボルト頭部(16)から括れ部(17)を介して延設される取付けボルト(1b)とを備える金属製シャックル(1)と、一端側を該シャックルに連結し他端側がアンカー(3)に連結される鎖(4)と、を具備し、両端が溝蓋(7)に固着された掛止用バー(79)を跨ぐようにして嵌入した前記シャックル本体(1a)の透孔(11a)に、前記取付けボルト(15)のボルト軸(15)を挿通し、且つ該ボルト軸の雄ねじ部(15a)を前記雌ねじ部(12a)へ螺着して、係止用バー(79)とシャックル(1)とを連結し、さらにボルト頭部(16)を締め付けることにより前記括れ部(17)で該ボルト頭部(16)が前記取付ボルト(1b)からもぎ取られるようにしたことを特徴とする溝蓋の盗難防止装置にある。
請求項２の考案たる溝蓋の盗難防止装置は、請求項１で、一対の脚部(2a)を対向させて両方の上端を天板部(2b)で連結して側面視略コ字形とし、且つ両脚部(2a)の下端寄りにそれぞれ通孔(21)を設けた取付金具(2)をさらに具備し、溝蓋(7)に係る一の主部材(72)の掛止用バー(79)を跨ぐようにして嵌入した前記取付金具(2)に係る両通孔(21)の部位へ、前記シャックル本体(1a)の透孔(11a)と雌ねじ部（12a)とを外側から重ね合わせ、前記取付けボルト(1b)のボルト軸(15)を該透孔(11a)と該両通孔(21)とに挿通し、且つ該ボルト軸(15a)の雄ねじ部(15a)を前記雌ねじ部(12a)へ螺着して、該取付金具を介して係止用バー(79)とシャックル(1)とを連結することを特徴とする。
請求項３の考案たる溝蓋の盗難防止装置は、請求項１又は２で、アンカー(3)が軸状本体(30)の基端側に環状体(31)を形成して前記鎖(4)と連結され、さらに該環状体を形成した基端が該環状体の起点部と溶接固定されることを特徴とする。
【考案の効果】
【０００７】
本考案の溝蓋の盗難防止装置は、グレーチングや桝蓋などの様々な溝蓋に対して、一旦溝蓋に取り付けられれば溝蓋を取り外すことが至難となり、盗難防止に極めて優れた効果を発揮する。
【考案を実施するための最良の形態】
【０００８】
以下、本考案に係る溝蓋の盗難防止装置（以下、単に「盗難防止装置」という）について詳述する。
図１〜図１１は本考案の盗難防止装置の一形態で、図１は実施形態１の盗難防止装置に係る各構成部品の分解斜視図、図２は図１の盗難防止装置をグレーチングたる溝蓋に取り付ける途中段階の部分斜視図、図３は図２の取付ボルトからボルト頭部がもぎ取られて盗難防止装置の取付け完了状態の部分斜視図、図４は集水桝の溝蓋に適用する盗難防止装置の分解斜視図、図５は図４の溝蓋に盗難防止装置の取付け完了した姿態の部分縦断面図、図６はピット等に適用される鋼板蓋たる溝蓋の表側から見た斜視図、図７が裏側から見た図６の溝蓋と本盗難防止装置との斜視図、図８は実施形態２の盗難防止装置に係る取付金具の斜視図、図９は図８と別態様の取付金具の斜視図、図１０は図１の盗難防止装置に図８の取付金具を付加した盗難防止装置を、溝蓋に取り付ける途中段階の部分斜視図で、図２に対応する別形態図である。図１１は図１０の取付ボルトからボルト頭部がもぎ取られ、盗難防止装置の取付け完了状態の部分斜視図である。
【０００９】
（１）実施形態１
本盗難防止装置は、シャックル１とアンカー３と鎖４とを具備する。
シャックル１は金属製シャックル本体１ａと取付ボルト１ｂとからなる(図１)。シャックル本体１ａは図示のごとくＵ字形に形成された錠杆１０の両端部１１,１２が膨らみのある円盤部に成形される。Ｕ字形錠杆の円盤部の一端部１１に透孔１１ａが設けられる一方、他端部１２の円盤部に透孔１１ａと相対向するようにして雌ねじ部１２ａが設けられる。
【００１０】
取付ボルト１ｂは、前記雌ねじ部１２ａに螺合する雄ねじ部１５ａを設けたボルト軸１５がボルト頭部１６から括れ部１７を介して延設される金属製ボルトである。取付ボルト１ｂに係るボルト軸１５を透孔１１ａ側から挿通して、雄ねじ部１５ａを雌ねじ部１２ａに螺合させて、錠杆１０のＵ字形した開口側を閉じることによって連結金具になる。取付ボルト１ｂの頭部１６は工具や手を使って該取付ボルト１ｂを回しやすい係合部１６ｂが設けられる。ここでは手やスパナ,ペンチ等で挟んで取付ボルト１ｂを回し易くする舌片状の係合部１６ｂを形成する。係合部１６ｂはスパナに嵌合する角柱形等にしてもよい。
ボルト頭部１６からボルト軸１５が延設するが、ボルト頭部１６の付け根には括れ部１７が形成される。本実施形態は、ボルト頭部１６の付け根が細く狭まって括れ部１７を形成して鍔部１８とつながり、該鍔部からボルト軸１５が延びる。ボルト頭部１６,括れ部１７,鍔部１８,ボルト軸１５の軸心は図１のごとく一致し、ボルト軸１５(ここでは、その先端部)に雄ねじ部１５ａが形成される。取付ボルト１ｂを図１の鎖線のごとく透孔１１ａ,雌ねじ部１２ａに挿通すると、図２のように雄ねじ部１５ａを該雌ねじ部１２ａに螺合できる。ボルト軸１５の軸長は透孔１１ａ,雌ねじ部１２ａ間の距離と同等又は若干長めに設定される。符号１６ｃは係合部１６ｂに設けた抜孔を示す。
【００１１】
アンカー３は鎖４を側溝９に固定するための金属製部材である。アンカー３は基端側で鎖４と連結し、アンカー３の先端部側はコンクリート製側溝９等に埋め込んで、該アンカー３を介して鎖４が側溝９に固定される。アンカー３の先端側にＬ字形鉤状部分３０ｆを形成して、側溝９に定着し易くする。本アンカー３はその軸状本体３０の基端側に環状体３１を形成して鎖４と連結し、さらに該環状体３１を形成した基端を該環状体の起点部に溶接固定する。符号３１ａはその溶接部分を示す。この部位で鎖４が切り離されないようにし、盗難防止対策を万全にする。
【００１２】
鎖４は金属製リングをつなぎ合わせてつくった綱である。ここでの鎖４は、一端側が前記シャックル１に連結され、他端側がアンカー３に連結される。鎖４の基端リング４１がアンカー３の環状体３１の環状形成時に通され、基端リング４１と環状体３１が連結する。先端リング４２がシャックル本体１ａに取付ボルト１ｂを組付ける時に該取付ボルト１ｂに通され、先端リング４２とシャックル１が連結する。さらに、その鎖４は、アンカー３の軸状本体３０を側溝９に固定した盗難防止装置の取り付け状態で、シャックル１を介してつながる溝蓋７で側溝９に蓋ができると共に、蓋がされたその溝蓋７を取り外して側溝９わきに置くことのできる長さを有する。
【００１３】
本盗難防止装置に適用される溝蓋７には、図２のような金属製グレーチング７ａがある。グレーチング７ａは全体形状が規格化された長方形盤状をなし、主部材７２と連結材７３と側板７０と端板７１とを備えるグレーチングとする。多数の金属製帯板からなる主部材７２とこれに直交する連結材７３とで格子状に形成して、その両側面を側板７０で囲む。主部材７２の両端を端板７１として直方形盤とする。連結材７３は通称クロスバーとも呼ばれ、金属製棒状材を捩ったツイスト棒からなる。連結材７３は、主部材７２をその帯幅方向を垂直起立させ且つ所定ピッチで複数配設した状態を確保した後、これらと直交するようにして所定間隔離して主部材７２上面に載置される。その後、主部材７２と連結材７３とを電気圧接固定して格子状した長方形盤に組み立てられる。符号ＳＬはスリットを示す。尚、主部材７２にＩバーを通常用いるが、各図はフラットバーで簡単図示する。グレーチング７ａは側溝９の上面開口に蓋をするように配設される。符号９０は側溝９の底部、符号９１は側溝９の側部、符号９２は流水溝を示す。
本発明では、斯かるグレーチング７ａの一のスリットＳＬを形成する対向主部材７２,７２に、軸状の金属製掛止用バー７９が固着される。掛止用バー７９の両端が溝蓋７を構成する対向主部材７２,７２の下縁寄りに固着され、該掛止用バーが図２のごとくスリットＳＬを横断するよう設けられる。
【００１４】
そして、本盗難防止装置は、上記構成部品を用いて、両端が溝蓋７に固着された掛止用バー７９を跨ぐようにして上方側から嵌入したシャックル本体１ａの透孔１１ａに、取付ボルト１ｂのボルト軸１５を挿通し、さらにボルト軸１５の雄ねじ部１５ａを雌ねじ部１２ａへ螺着して、図２のごとく掛止用バー７９とシャックル１とを連結する。該シャックル１は鎖４の一端側先端リング４２と連結し、該鎖４の他端側基端リング４１が側溝９に固定したアンカー３に連結されており、溝蓋７がシャックル１を介して鎖４で側溝９に固定される。
本盗難防止装置は、さらに図２の状態からボルト頭部１６を締め付けることにより、図３のごとく括れ部１７でボルト頭部１６が取付ボルト１ｂからもぎ取られる構成になっている。ボルト頭部１６が取付ボルト１ｂからもぎ取られることによって、もはやシャックル本体１ａから取付ボルト１ｂを取り外せなくなる。ボルト頭部１６がないため、スパナ等の工具が使えず、盗難防止に完全を期すことができる。
【００１５】
次に、上記各構成部品を用いて、盗難防止装置を側溝９に取り付ける一例を説明する。
アンカー３の環状体３１に鎖４の基端リング４１を連結して、環状体３１の基端を該環状体３１の起点部に溶接固定する。また、アンカー３の鉤状部分３０ｆのある軸状本体３０部を、現場設置される側溝９の段差部９１ａ近くの側部９１に埋設固定する(図２)。
続いて、側溝９の上面開口に蓋をする溝蓋７に固着された掛止用バー７９を跨ぐようにしてシャックル本体１ａを嵌入する。その後、取付ボルト１ｂのボルト軸１５を透孔１１ａに挿通し、次いで、鎖４の先端リング４２に通し、さらに該ボルト軸１５の雄ねじ部１５ａを雌ねじ部１２ａへ螺着して、掛止用バー７９と鎖４とをシャックル１で連結する。さらに、図２の円内矢印回転方向にボルト頭部１６を締め付けることにより括れ部１７で該ボルト頭部１６を取付ボルト１ｂからもぎ取る(図３)。かくして、取付ボルト１ｂに先端リング４２が通されたことによって、掛止用バー７９,シャックル１,鎖４,アンカー３が連結する。掛止用バー７９は溝蓋７に固着されており、またアンカー３は側溝９に埋設固定されているため、溝蓋７が鎖４で側溝９につながれる。本盗難防止装置による側溝９への溝蓋７の取付けが完成する。
【００１６】
溝蓋７に関しては、前記グレーチング７ａに限らず種々のものを用いることができる。例えば図４〜図７のような溝蓋７である。図４は集水桝蓋７ｂたる他態様の溝蓋７に適用する本盗難防止装置の斜視図である。この集水桝蓋７ｂは、図１の長方形盤のグレーチング７ａと基本構成がほぼ同じで、主部材７２とこれに直交する連結材７３とで格子状に形成して、その両側面を側板７０で囲む。主部材７２の両端を端板７１として正方形盤とする。斯かる集水桝蓋７ｂの一のスリットＳＬを形成する対向主部材７２,７２に、軸状の金属製掛止用バー７９が固着される。掛止用バー７９の両端が溝蓋７を構成する対向主部材７２,７２に固着され、該掛止用バー７９が図４のごとくスリットＳＬを横断するよう設けられる。
そして、盗難防止装置は、図１〜図３と同様、掛止用バー７９を跨ぐようにして嵌入したシャックル本体１ａの透孔１１ａに、取付ボルト１ｂのボルト軸１５を挿通し、次いで、該ボルト軸を鎖の先端リング４２に通し、さらにボルト軸１５の雄ねじ部１５ａを雌ねじ部１２ａへ螺着して、掛止用バー７９とシャックル１とを連結する。掛止用バー７９は該シャックル１を介して鎖４の一端側と連結し、該鎖４の他端側が側溝９に固定したアンカー３に連結されていることから、蓋７がシャックル１を介して鎖４で側溝９に固定される。そうして、ボルト頭部１６の締め付けにより、図５のごとく括れ部１７でボルト頭部１６が取付ボルト１ｂからもぎ取られる。
【００１７】
溝蓋７は図６,図７のような他態様品でもよい。図６,図７はピットなどで用いられる鋼板蓋７ｃたる溝蓋７の斜視図である。この鋼板蓋７ｃは蓋本体を縞鋼板等の板状蓋７５で形成し、裏面７５ｂにピット内に嵌合する枠部材７６を固着する。符号７７は鋼板蓋７ｃを持ち上げるための把手、符号７７ａは裏面側に設けた把手のストッパを示す。
本盗難防止装置は、掛止用バー７９の一端を鋼板蓋７ｃの枠部材７６に固着する一方、掛止用バー７９の他端を該枠部材内の板状蓋７５の裏面７５ｂに固着し、該掛止用バーを跨いでシャックル本体１ａが嵌入できるように設定する。後は、図１〜図３や図４,図５と同様で、掛止用バー７９に嵌入したシャックル本体１ａの通孔２１と鎖４の先端リング４２に、取付ボルト１ｂを挿通し、ボルト軸１５を雌ねじ部１２ａへ螺着して、掛止用バー７９と鎖４とをシャックル１で連結する。さらにボルト頭部１６の締め付けにより括れ部１７でボルト頭部１６が取付ボルト１ｂからもぎ取られる構成である。
【００１８】
このように構成した盗難防止装置は、掛止用バー７９を跨ぐようにしてシャックル本体１ａを嵌入し、取付ボルト１ｂのボルト軸１５を透孔１１ａと鎖４の先端リング４２に挿通し、そのボルト軸１５の雄ねじ部１５ａを雌ねじ部１２ａへ螺着して、掛止用バー７９とシャックル１、鎖４を連結した後、ボルト頭部１６を締め付けて括れ部１７でボルト頭部１６が取付ボルト１ｂからもぎ取られるので、一旦、掛止用バー７９とシャックル１、鎖４が連結されれば、もはや取り外すことが困難になる。ボルト頭部１６は括れ部１７が形成されているので容易にもぎ取ることができ作業性に優れる。ボルト頭部１６がもぎ取られることによって、工具等を用いるにしても、ボルト軸１５を回すのに把持する所がない。従って、この盗難防止装置は鎖４の他端側基端リング４１をアンカー３に取付け、該アンカー３を側溝９に固定すれば、溝蓋７が盗難被害に遭う虞がない。管理者といえども溝蓋７を取り外すことができない。汎用ボルト等で締結され、市販スパナ等によって溝蓋７が簡単に取り外される従来品と全く異なり、盗難防止対策が万全となる。
勿論、管理者もシャックル本体１ａから取付ボルト１ｂを抜いて溝蓋７を取り外すことが困難になるが、何ら支障はない。側溝９内の掃除等で側溝９に蓋をしていた溝蓋７が定期的に取り外されたりするが、その溝蓋７は側溝９の脇に通常置かれる。側溝９の脇に置けるよう鎖４の長さを確保すれば足りる。
また、本盗難防止装置は、既述のごとくシャックル１とアンカー３と鎖４とからなるごく簡便な構成で低コスト対応できる。溝蓋７への本盗難防止装置の取り付けも、両端が溝蓋７に固着された掛止用バー７９を跨ぐようにしてシャックル本体１ａを嵌入後、これに取付ボルトを螺着し、さらに螺着強化してボルト頭部１６をもぎ取り、シャックル１,鎖４を介して基端リング４１に連結したアンカー３を側溝９へ固定するだけであり、その取り付けに労力,時間をさほど要しない。しかも、グレーチング７ａや集水桝蓋７ｂなどの様々な溝蓋７に対して完璧な盗難防止を実現することができ極めて有益となる。
さらに、アンカー３が軸状本体３０の基端側に環状体３１を形成して鎖４と連結され、且つ該環状体３１を形成した基端が該環状体３１の起点部と溶接固定されれば、このアンカー３の環状体３１から切り離されて溝蓋７が持ち去られるといった問題も解消し、盗難防止対策は盤石になる。
【００１９】
（２）実施形態２
本盗難防止装置は、図８〜図１１のごとくで、構成部品として図１〜図７の盗難防止装置にさらに取付金具２を付加するものである。図８は図１〜図７の盗難防止装置に付加される補助部品たる取付金具２を示す。
前記グレーチング７ａや集水桝蓋７ｂでは、掛止用バー７９の両端が溝蓋７を構成する対向主部材７２,７２に固着され、該掛止用バー７９がスリットＳＬを横断するよう設けられる。ここで、一の主部材７２に掛止用バー７９を担わせようとすると、主部材７２の帯幅が大きすぎてこれを跨ぐようにしてシャックル本体１ａを嵌入することが困難になる。主部材７２とシャックル１を連結することができない。この一の主部材７２を掛止用バー７９に用いるときに、該取付金具２を介して主部材７２とシャックル１とが連結される。
【００２０】
前記取付金具２は帯板片の成形加工品で、一対の脚部２ａを対向させて両方の上端を天板部２ｂで連結して側面視略コ字形とする。両脚部２ａの下端寄りにはそれぞれ通孔２１が対向するように設けられる。符号εは取付金具２のコ字形開口隙間で、この隙間幅が主部材７２の厚みよりも大きく設定される。符号２２は側面視コ字形内側に膨らむ突起、符号２２ａは突起を形成するための窪みを示す。
該取付金具２は、グレーチング７ａの一の主部材７２を掛止用バー７９として、これを跨いで図１０のごとく上方側から嵌入すると、脚部２ａに設けた通孔２１の部分が該主部材よりも下方へ突出する。本盗難防止装置は、前もって先端リング４２を通したシャックル本体１ａに係る透孔１１ａと雌ねじ部１２ａとを、該通孔２１,２１の部位へ外側から重ね合わせる。さらに、取付ボルト１ｂのボルト軸１５を透孔１１ａと両通孔２１とに挿通し、且つボルト軸１５の雄ねじ部１５ａを雌ねじ部１２ａへ螺着して、取付金具２を介して主部材７２たる掛止用バー７９とシャックル１とを連結する。しかる後、ボルト頭部１６を締め付けることにより括れ部１７で該ボルト頭部１６が取付ボルト１ｂからもぎ取られる(図１１)。他の構成は、図１〜図３の盗難防止装置と同様で、その説明を省く。図１〜図３と同一符号は同一又は相当部分を示す。
【００２１】
前記取付金具２に関しては図８に代えて例えば図９のものとすることができる。図８の取付金具２は図７のものより帯板片の幅を大きくして、各脚部２ａの下端角域から斜め上方に向け複数(ここでは３個)の通孔２１を設ける。符号２４は切欠部を示す。グレーチング７ａや集水桝蓋７ｂには様々なサイズがあり、そのサイズに応じて主部材７２の大きさも違っている。図９の取付金具２は、小サイズから大サイズまである主部材７２に対し、取付ボルト１ｂが挿通する通孔２１を選んで対応できる。一つの取付金具２で適用可能な溝蓋７の仕様範囲が広がる。
【００２２】
このように構成した盗難防止装置は、実施形態１の効果に加え、グレーチング７ａや集水桝蓋７ｂの一の主部材７２を掛止用バー７９としてそのまま用いることができる。盗難防止装置用に掛止用バー７９を設けなくて済むので、既存の溝蓋７等にも本装置を簡単に取り付けることができ、その適用範囲が広がりさらに有益となる。
【００２３】
尚、本考案においては前記実施形態に示すものに限られず、目的,用途に応じて本考案の範囲で種々変更できる。シャックル１,取付金具２,アンカー３,鎖４,溝蓋７,側溝９等の形状,大きさ,個数,材質等は用途に合わせて適宜選択できる。
【図面の簡単な説明】
【００２４】
【図１】実施形態１の盗難防止装置に係る各構成部品の分解斜視図である。
【図２】図１の盗難防止装置をグレーチングたる溝蓋に取り付ける途中段階の部分斜視図である。
【図３】図２の取付ボルトからボルト頭部がもぎ取られて盗難防止装置の取付け完了状態の部分斜視図である。
【図４】集水桝の溝蓋に適用する盗難防止装置の分解斜視図である。
【図５】図４の溝蓋に盗難防止装置の取付け完了した姿態の部分縦断面図である。
【図６】ピット等に適用される鋼板蓋たる溝蓋の表側から見た斜視図である。
【図７】裏側から見た図６の溝蓋と本盗難防止装置との斜視図である。
【図８】実施形態２の盗難防止装置に係る取付金具の斜視図である。
【図９】図８と別態様の取付金具の斜視図である。
【図１０】図１の盗難防止装置に図８の取付金具を付加した盗難防止装置を、溝蓋に取り付ける途中段階の部分斜視図で、図２に対応する別態様図である。
【図１１】図１０の取付ボルトからボルト頭部がもぎ取られて盗難防止装置の取付け完了状態の部分斜視図である。
【符号の説明】
【００２５】
１          シャックル
１ａ        シャックル本体
１ｂ        取付ボルト
１０        錠杆
１１ａ      透孔
１２ａ      雌ねじ部
１５ａ      雄ねじ部
２          取付金具
２ａ        脚部
２ｂ        天板部
２１        通孔
３          アンカー
３０        軸状本体
３１        環状体
４          鎖
７          溝蓋
７２        主部材
７９        掛止用バー
【図１】
0003142803.tif 000003
【図２】
0003142803.tif 000004
【図３】
0003142803.tif 000005
【図４】
0003142803.tif 000006
【図５】
0003142803.tif 000007
【図６】
0003142803.tif 000008
【図７】
0003142803.tif 000009
【図８】
0003142803.tif 000010
【図９】
0003142803.tif 000011
【図１０】
0003142803.tif 000012
【図１１】
0003142803.tif 000013